(57)【要約】  この医療用マスタースレーブマニピュレータシステムの矯正治具は、前記矯正治具がマスターマニピュレータに取り付けられた状態で、前記マスターマニピュレータの関節を直線状態に規制する。
2016136306.tif 000002
【特許請求の範囲】
【請求項１】
エンドエフェクタ及び関節を有するスレーブマニピュレータと、
前記スレーブマニピュレータの前記関節と相似な形状の関節を有し前記スレーブマニピュレータを動作させるための操作が入力されるマスターマニピュレータと、
前記スレーブマニピュレータを動作させるための操作指令を前記マスターマニピュレータに対して入力される操作に基づいて生成して前記スレーブマニピュレータへ出力する制御部と、
前記スレーブマニピュレータが挿通される筒状のオーバーチューブと、
前記マスターマニピュレータを前記オーバーチューブの内部形状に倣った形状に矯正するために前記オーバーチューブの少なくとも一部と相似な形状を有し前記マスターマニピュレータに取り付け可能な矯正治具と、
を備え、
前記矯正治具は、前記矯正治具が前記マスターマニピュレータに取り付けられた状態で前記マスターマニピュレータの前記関節を直線状態に規制する
医療用マスタースレーブマニピュレータシステム。
【請求項２】
前記制御部は、
前記矯正治具が前記マスターマニピュレータに取り付けられたことを検知したときに前記スレーブマニピュレータが前記オーバーチューブ内に移動するように前記スレーブマニピュレータと前記オーバーチューブとを相対移動させる操作指令を生成して前記スレーブマニピュレータへ出力し、
前記スレーブマニピュレータが前記オーバーチューブ内に位置し且つ前記マスターマニピュレータに前記矯正治具が取り付けられている状態で、前記マスターマニピュレータの前記関節に対応する前記スレーブマニピュレータの前記関節の位置を前記スレーブマニピュレータにおける前記関節の原点位置として設定する
請求項１に記載の医療用マスタースレーブマニピュレータシステム。
【請求項３】
前記矯正治具は、
前記マスターマニピュレータの前記関節を前記オーバーチューブの内部に配された前記スレーブマニピュレータの前記関節の形状に倣った形状に保持するチャンネル部材と、
前記マスターマニピュレータに対して前記チャンネル部材を移動させる基台と、
を有する
請求項１に記載の医療用マスタースレーブマニピュレータシステム。
【請求項４】
前記矯正治具は、
前記マスターマニピュレータの前記関節を前記オーバーチューブの内部に配された前記スレーブマニピュレータの前記関節の形状に倣った形状に保持するチャンネル部材と、
前記チャンネル部材を保持する基台と、
を有し、
前記マスターマニピュレータは、前記チャンネル部材に少なくとも前記マスターマニピュレータの前記関節が取り付けられるように前記チャンネル部材に対して移動可能である
請求項１に記載の医療用マスタースレーブマニピュレータシステム。
【請求項５】
前記マスターマニピュレータは、
作業台と、
前記エンドエフェクタに対応する入力部と、前記マスターマニピュレータの前記関節と、を有するマスターアームと、
を有し、
前記チャンネル部材は、前記マスターアームが前記作業台に対して位置決めされた状態で前記マスターアームに対して相対移動及び固定可能となるように前記作業台に配されている
請求項４に記載の医療用マスタースレーブマニピュレータシステム。
【請求項６】
前記矯正治具は、
前記マスターマニピュレータを内部に挿通可能であり前記オーバーチューブと相似形状をなすチャンネル部材と、
前記チャンネル部材において前記マスターマニピュレータが前記チャンネル部材の周方向に回転する回転量を計測するための回転量計測手段と、
を有する
請求項１に記載の医療用マスタースレーブマニピュレータシステム。
【請求項７】
前記制御部は、
前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止する
請求項１に記載の医療用マスタースレーブマニピュレータシステム。
【発明の詳細な説明】
【技術分野】
【０００１】
本発明は、医療用マスタースレーブマニピュレータシステムに関する。
本願は、２０１５年２月２６日に日本国に出願された特願２０１５−０３７２８７号に基づき優先権を主張し、その内容をここに援用する。
【背景技術】
【０００２】
従来、マスタースレーブ方式の医療用マニピュレータシステムが知られている（たとえば特許文献１、２参照）。
マスタースレーブ方式の医療用マニピュレータシステムは、マスターマニピュレータに対する操作に倣ってスレーブマニピュレータを動作させるシステムである。マスタースレーブ方式の医療用マニピュレータシステムでは、マスターマニピュレータの位置や姿勢にスレーブマニピュレータが適切に追従する必要がある。
このため、例えば特許文献１、２に開示されたシステムでは、マスターマニピュレータに対するスレーブマニピュレータの追従精度を維持するためのキャリブレーションが行われることが好ましい。
【先行技術文献】
【特許文献】
【０００３】
【特許文献１】日本国特開２００９−２４７６１９号公報
【特許文献２】日本国特開２０１０−０３５８７４号公報
【発明の概要】
【発明が解決しようとする課題】
【０００４】
マスタースレーブ方式の医療用マニピュレータシステムは、マスターマニピュレータ及びスレーブマニピュレータがそれぞれ関節を有している。マスターマニピュレータの関節とスレーブマニピュレータの関節とは、電気的な操作指令により追従動作可能となるように電気的に接続されている。マスターマニピュレータの関節とスレーブマニピュレータの関節との間に機械的な接続がない場合、マスターマニピュレータの関節に対するスレーブマニピュレータの関節の位置ずれが生じる場合が考えられる。しかしながら、各関節の位置を検知するセンサを関節ごとに有していれば、位置ずれを矯正するためのキャリブレーションをすることができる。【０００５】
しかしながら、マスターマニピュレータの関節のセンサ及びスレーブマニピュレータの関節のセンサからの情報を用いたキャリブレーションは各センサが正常動作していることを前提としている。このため、各センサのキャリブレーションが別途必要になるなど、キャリブレーションに係る作業負担が大きい。また、関節ごとにセンサを有する構成では構造が複雑になってしまい小型化が難しい。【０００６】
本発明は、上述した事情に鑑みてなされたものであって、簡易な構成で容易にキャリブレーションを行うことができる医療用マスタースレーブマニピュレータシステムを提供することを目的とする。
【課題を解決するための手段】
【０００７】
本発明の第一の態様によれば、医療用マスタースレーブマニピュレータシステムは、エンドエフェクタ及び関節を有するスレーブマニピュレータと、前記スレーブマニピュレータの前記関節と相似な形状の関節を有し前記スレーブマニピュレータを動作させるための操作が入力されるマスターマニピュレータと、前記スレーブマニピュレータを動作させるための操作指令を前記マスターマニピュレータに対して入力される操作に基づいて生成して前記スレーブマニピュレータへ出力する制御部と、前記スレーブマニピュレータが挿通される筒状のオーバーチューブと、前記マスターマニピュレータを前記オーバーチューブの内部形状に倣った形状に矯正するために前記オーバーチューブの少なくとも一部と相似な形状を有し前記マスターマニピュレータに取り付け可能な矯正治具と、を備える。前記矯正治具は、前記矯正治具が前記マスターマニピュレータに取り付けられた状態で前記マスターマニピュレータの前記関節を直線状態に規制する。【０００８】
本発明の第二の態様によれば、前記第一の態様に係る医療用マスタースレーブマニピュレータシステムにおいて、前記制御部は、前記矯正治具が前記マスターマニピュレータに取り付けられたことを検知したときに前記スレーブマニピュレータが前記オーバーチューブ内に移動するように前記スレーブマニピュレータと前記オーバーチューブとを相対移動させる操作指令を生成して前記スレーブマニピュレータへ出力し、前記スレーブマニピュレータが前記オーバーチューブ内に位置し且つ前記マスターマニピュレータに前記矯正治具が取り付けられている状態で、前記マスターマニピュレータの前記関節に対応する前記スレーブマニピュレータの前記関節の位置を前記スレーブマニピュレータにおける前記関節の原点位置として設定してもよい。【０００９】
本発明の第三の態様によれば、前記第一の態様に係る医療用マスタースレーブマニピュレータシステムにおいて、前記矯正治具は、前記マスターマニピュレータの前記関節を前記オーバーチューブの内部に配された前記スレーブマニピュレータの前記関節の形状に倣った形状に保持するチャンネル部材と、前記マスターマニピュレータに対して前記チャンネル部材を移動させる基台と、を有していてもよい。【００１０】
本発明の第四の態様によれば、前記第一の態様に係る医療用マスタースレーブマニピュレータシステムにおいて、前記矯正治具は、前記マスターマニピュレータの前記関節を前記オーバーチューブの内部に配された前記スレーブマニピュレータの前記関節の形状に倣った形状に保持するチャンネル部材と、前記チャンネル部材を保持する基台と、を有していてもよい。前記マスターマニピュレータは、前記チャンネル部材に少なくとも前記マスターマニピュレータの前記関節が取り付けられるように前記チャンネル部材に対して移動可能であってもよい。【００１１】
本発明の第五の態様によれば、前記第四の態様に係る医療用マスタースレーブマニピュレータシステムにおいて、前記マスターマニピュレータは、作業台と、前記エンドエフェクタに対応する入力部と、前記マスターマニピュレータの前記関節と、を有するマスターアームと、を有していてもよい。前記チャンネル部材は、前記マスターアームが前記作業台に対して位置決めされた状態で前記マスターアームに対して相対移動及び固定可能となるように前記作業台に配されていてもよい。【００１２】
本発明の第六の態様によれば、前記第一の態様に係る医療用マスタースレーブマニピュレータシステムにおいて、前記矯正治具は、前記マスターマニピュレータを内部に挿通可能であり前記オーバーチューブと相似形状をなすチャンネル部材と、前記チャンネル部材において前記マスターマニピュレータが前記チャンネル部材の周方向に回転する回転量を計測するための回転量計測手段と、を有していてもよい。【００１３】
本発明の第七の態様によれば、前記第一の態様に係る医療用マスタースレーブマニピュレータシステムにおいて、前記制御部は、前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止してもよい。
【発明の効果】
【００１４】
本発明によれば、簡易な構成で容易にキャリブレーションを行うことができる医療用マスタースレーブマニピュレータシステムを提供することができる。
【図面の簡単な説明】
【００１５】
【図１】本発明の第１実施形態の医療用マスタースレーブマニピュレータシステムの全体図である。
【図２】前記マニピュレータシステムのマスターマニピュレータの一部を示す模式図である。
【図３】前記マスターマニピュレータの一部を模式的に示す部分断面図である。
【図４】前記マニピュレータシステムのスレーブマニピュレータの一部を示す図で、スレーブマニピュレータの一部が体内に挿入されている状態を示す模式的な断面図である。
【図５】前記スレーブマニピュレータのエンドエフェクタを用いて処置を行う一過程を模式的に示す部分断面図である。
【図６】前記マニピュレータシステムを使用した処置の流れを示すフローチャートである。
【図７】前記マニピュレータシステムを使用した処置の最中にスレーブマニピュレータの初期位置の設定をする場合の作業の流れを示すフローチャートである。
【図８】前記マニピュレータシステムにおける初期位置の設定手順の一例を示すフローチャートである。
【図９】本発明の第２実施形態の医療用マスタースレーブマニピュレータシステムの一部の構成を示す模式的な部分断面図である。
【図１０】本発明の第３実施形態の医療用マスタースレーブマニピュレータシステムのマスターマニピュレータの一部を示す模式的な部分断面図である。
【図１１】前記実施形態のマニピュレータシステムにおけるスレーブマニピュレータの一部を示す模式的な部分断面図である。
【図１２】本発明の第４実施形態の医療用マスタースレーブマニピュレータシステムのマスターマニピュレータの一部を示す模式的な部分断面図である。
【図１３】前記実施形態のマニピュレータシステムにおけるスレーブマニピュレータの一部を示す模式図である。
【発明を実施するための形態】
【００１６】
（第１実施形態）
本発明の第１実施形態について説明する。図１は、本実施形態の医療用マスタースレーブマニピュレータシステムの全体図である。図２は、前記マニピュレータシステムのマスターマニピュレータの一部を示す模式図である。図３は、前記マスターマニピュレータの一部を模式的に示す部分断面図である。図４は、前記マニピュレータシステムのスレーブマニピュレータの一部を示す図で、スレーブマニピュレータの一部が体内に挿入されている状態を示す模式的な断面図である。図５は、前記スレーブマニピュレータのエンドエフェクタを用いて処置を行う一過程を模式的に示す部分断面図である。
【００１７】
図１に示すように、本実施形態の医療用マスタースレーブマニピュレータシステム１（以下、単にマニピュレータシステム１という。）は、マスターマニピュレータ２と、スレーブマニピュレータ２０と、制御部５０とを有する。
【００１８】
図１から図３までに示すように、マスターマニピュレータ２は、作業台３と、マスターアーム４と、マスターオーバーチューブ１５と、表示装置１９とを備えている。
【００１９】
作業台３には、マスターアーム４、マスターオーバーチューブ１５、及び表示装置１９が取り付けられている。
【００２０】
マスターアーム４は、台座５と、シャフト６と、マスター関節部７と、入力部１４とを備えている。
【００２１】
台座５は、作業台３に対して所定の直線方向に移動可能となるように作業台３に接続又は載置されている。また、台座５は、マスターアーム４のシャフト６に接続されている。
【００２２】
シャフト６は、マスターオーバーチューブ１５のチャンネル部材１６内に挿通可能な棒状又は筒状の部材である。
【００２３】
マスター関節部７は、シャフト６の両端のうち台座５に連結されている端とは反対側の端（以下、この端をシャフト６の先端６ａという）に連結されている。マスター関節部７は、複数の関節要素８を有している。本実施形態では、シャフト６の先端６ａから入力部１４へ向かって、第一関節要素９、第二関節要素１０、及び第三関節要素１１をこの順に有している。マスター関節部７に設けられた各関節要素８は、棒状のアーム要素１３により連結されている。
【００２４】
第一関節要素９、第二関節要素１０、及び第三関節要素１１は、入力部１４に対して入力を行う操作者から入力部１４を介してマスター関節部７に伝わる力によって屈曲や回転等所定の軸に対応して動かされる。第一関節要素９、第二関節要素１０、及び第三関節要素１１は、互いに独立して、又は連動して動作することにより、入力部１４に対する操作に対応してマスター関節部７を変形させる。第一関節要素９、第二関節要素１０、及び第三関節要素１１は、不図示のエンコーダなどの位置情報取得手段を有しており、第一関節要素９、第二関節要素１０、及び第三関節要素１１が入力部１４からの力により動かされた際の動作量を制御部５０において取得することができるように構成されている。
【００２５】
入力部１４は、マスター関節部７の両端のうちシャフト６の先端６ａに連結されている端とは反対側の端（以下、この端をマスター関節部７の先端７ａをいう）に配されている。
入力部１４は、操作者が手に持って移動させることができる。なお、入力部１４は、スレーブアーム２１に設けられたエンドエフェクタ３３（図４及び図５参照）の構成に対応してエンドエフェクタ３３を動作させることができるように構成されていてもよい。
【００２６】
一例を挙げると、本実施形態では、たとえば処置対象物等を把持可能な把持鉗子３４をエンドエフェクタ３３が有している場合、入力部１４は、エンドエフェクタ３３の把持鉗子３４に対応して処置対象物の把持動作の入力をすることができるように構成される。また、入力部１４は、エンドエフェクタ３３の形状に似せた形状であってもよい。たとえば、エンドエフェクタ３３が上記の把持鉗子３４を有している場合、把持鉗子３４を構成する一対の開閉可能な鉗子片３４ａ、３４ｂと同様に開閉動作可能な一対の入力片１４ａ、１４ｂが入力部１４に設けられていてもよい。この場合、一対の入力片１４ａ、１４ｂは、開閉状態を検知可能な不図示のエンコーダなどの動作検知手段を有し、一対の入力片１４ａ、１４ｂが操作者により動かされた際の動作量を制御部５０において取得することができるように構成される。
【００２７】
マスターオーバーチューブ１５は、後述するスレーブオーバーチューブ３７のチューブ体３８の先端３８ａ近傍の形状に倣った筒状のチャンネル部材１６と、チャンネル部材１６を作業台３に固定する固定部１８とを有する。また、マスターオーバーチューブ１５は、マスターオーバーチューブ１５に対するマスターアーム４の位置や移動量を検知するための不図示のエンコーダなどのマスター移動検知手段を有している。
【００２８】
図３に示すチャンネル部材１６は、マスターアーム４のシャフト６、マスター関節部７、及び入力部１４が内部に挿入可能でありＣ字状の断面をなす略筒状形状を有している。チャンネル部材１６の中心線は直線状である。
チャンネル部材１６には、マスターアーム４のシャフト６が挿入されるスリット１７が、チャンネル部材１６の中心線に沿った方向に延びて形成されている。スリット１７の開き幅は、マスターアーム４のシャフト６が進退可能となる寸法であるとともに、マスター関節部７及びエンドエフェクタ３３の外周をチャンネル部材１６の内面が略囲うことができる寸法に設定されることが好ましい。スリット１７の開き幅は、シャフト６が好適に進退できる限度において狭い方が、チャンネル部材１６内に配されたマスターアーム４を、スレーブオーバーチューブ３７内に配されたスレーブアーム２１に精度よく倣った直線状とすることができる。
【００２９】
チャンネル部材１６を備えた本実施形態のマスターオーバーチューブ１５は、マスターオーバーチューブ１５のチャンネル部材１６の内部にマスター関節部７が位置している状態においてマスター関節部７が直線状態となるように、マスター関節部７を矯正する。すなわち、本実施形態のマスターオーバーチューブ１５は、マスター関節部７を直線状に矯正する矯正治具である。
【００３０】
図１に示す表示装置１９は、スレーブマニピュレータ２０に取り付け可能な内視鏡１００によって撮像される映像を表示したり、マニピュレータシステム１の制御部５０から出力される各種の情報を表示したりする装置である。
【００３１】
図１、図４、及び図５に示すように、スレーブマニピュレータ２０は、スレーブアーム２１と、スレーブオーバーチューブ３７とを備えている。
【００３２】
スレーブアーム２１は、駆動部２２と、長尺部材２５と、スレーブ関節部２６と、エンドエフェクタ３３とを備えている。
【００３３】
駆動部２２は、スレーブ関節部２６を動作させるために、長尺部材２５の端部に配されている。駆動部２２は、マスターマニピュレータ２の作業台３に取り付けられた動力源部２３と、動力源部２３に対して着脱可能で長尺部材２５の端部に固定された着脱部２４とを有している。本実施形態では、スレーブアーム２１の全体のうち着脱部２４からエンドエフェクタ３３に至るまでの構成要素は、スレーブオーバーチューブ３７及び動力源部２３に対して取り付け及び取り外しが可能である。
【００３４】
動力源部２３は、制御部５０が発する操作指令に対応してスレーブ関節部２６を動作させるための動力を発生させる。
また、動力源部２３は、作業台３に対して進退移動可能である。動力源部２３が作業台３に対して進退することにより、スレーブアーム２１の先端にあるエンドエフェクタ３３の位置を第二ルーメン４０に対して調整することができる。また、作業台３及び動力源部２３は、作業台３上での動力源部２３の進退動作と、作業台３に配されたマスターアーム４の進退動作とが対応するように構成されている。このため、マスターアーム４を作業台３に対して移動させることにより、第二ルーメン４０に対するスレーブアーム２１の進退移動をさせることができる。
【００３５】
なお、駆動部２２がエンドエフェクタ３３を動作させることができるように構成されていてもよい。たとえばスレーブアーム２１がエンドエフェクタ３３として把持鉗子３４を有している場合には、上記の入力部１４の一対の入力片１４ａ、１４ｂに対する操作に従って駆動部２２が把持鉗子３４の一対の鉗子片３４ａ、３４ｂをたとえばワイヤ駆動で動作させる。
【００３６】
着脱部２４は、動力源部２３が発する動力を不図示のワイヤを介してスレーブ関節部２６に伝達するために動力源部２３に対して着脱可能な部材である。着脱部２４は、例えば、動力源部２３の不図示の出力軸に対して任意の位置で噛み合う不図示の入力軸を有していることにより、動力源部２３に着脱部２４が装着されたときの位置関係で動力源部２３からスレーブ関節部２６までの動力伝達経路を構成する。
【００３７】
長尺部材２５は、体内に挿入可能な柔軟な又は硬質な部材である。たとえば長尺部材２５が消化管内に挿入される部材である場合には、長尺部材２５は、消化管の湾曲形状に沿って湾曲しながら挿入することができるように可撓性を有する。
【００３８】
スレーブ関節部２６は、マスター関節部７の構成に対応して、マスター関節部７の変形に倣って変形可能な複数の関節要素２７と、各関節要素２７を繋ぐアーム要素３２とを有する。本実施形態のスレーブ関節部２６は、長尺部材２５からエンドエフェクタ３３へ向かって、第一関節要素２８と、第二関節要素２９と、第三関節要素３０とをこの順に有している。
【００３９】
第一関節要素２８、第二関節要素２９、及び第三関節要素３０は、駆動部２２から不図示のワイヤを介して動力が伝達されることにより、互いに独立して動作可能である。たとえばスレーブ関節部２６の第一関節要素２８は、マスター関節部７の第一関節要素９が入力部１４に対する操作により動かされたときに、第一関節要素９の動きに倣って動作する。
【００４０】
エンドエフェクタ３３は、体内で処置対象部位等に対する観察や処置等をするためにスレーブ関節部２６に連結されている。エンドエフェクタ３３は、イメージセンサを備えた撮像部や、処置対象部位に対して切開や縫合などをする処置部や、処置対象部位の組織等を把持する把持部などであってよい。エンドエフェクタ３３の構成は特に限定されない。たとえば、本実施形態のエンドエフェクタ３３は、生体組織を把持可能な把持鉗子３４を有している。
【００４１】
把持鉗子３４は、開閉動作可能な一対の鉗子片３４ａ、３４ｂを有している。一対の鉗子片３４ａ、３４ｂは、不図示のワイヤにより駆動部２２の着脱部２４と連結されており、着脱部２４を介して駆動部２２から伝わる動力により動作する。一対の鉗子片３４ａ、３４ｂの動作は、入力部１４に対して操作者が行った操作に対応して制御部５０が駆動部２２に発する操作指令に基づいている。
【００４２】
スレーブオーバーチューブ３７は、チューブ体３８と、操作部４１と、接続部４２とを備えている。
【００４３】
チューブ体３８は、第一ルーメン３９と第二ルーメン４０とを有する筒状部材である。チューブ体３８は、硬性であってもよいし軟性であってもよい。たとえばチューブ体３８が消化管内に挿入される場合には、チューブ体３８は軟性であり消化管の湾曲形状に倣って変形可能である。
チューブ体３８の第一ルーメン３９には、本実施形態のマニピュレータシステム１の一部として設けられる公知の内視鏡１００を取り付けることができる。
チューブ体３８の第二ルーメン４０には、スレーブアーム２１の長尺部材２５、スレーブ関節部２６、及びエンドエフェクタ３３を挿通することができる。本実施形態では複数のスレーブアーム２１をチューブ体３８に取り付けることができるようにするために、複数の第二ルーメン４０（本実施形態ではたとえば２つ）がチューブ体３８に形成されている。
【００４４】
操作部４１は、チューブ体３８を進退させたり回転させたりするために操作者が把持する部分であり、チューブ体３８の基端３８ｂに設けられている。操作部４１には、チューブ体３８の第二ルーメン４０をマスターマニピュレータ２まで延長するための接続部４２が取り付けられている。
【００４５】
接続部４２は、スレーブアーム２１の長尺部材２５の一部が挿通される延長ルーメン４３を有している。接続部４２の延長ルーメン４３は、チューブ体３８の第二ルーメン４０の構成に対応して接続部４２に形成されている。
【００４６】
図１に示す制御部５０は、マスターマニピュレータ２の入力部１４に対する入力操作に対応して動力源部２３を動作させるための操作指令を生成して動力源部２３へ出力する。また、制御部５０は、スレーブマニピュレータ２０とマスターマニピュレータ２との対応付けの最適化のためのキャリブレーションを行うことができる。たとえば、制御部５０は、マスター関節部７とスレーブ関節部２６との位置関係を対応付けるための初期位置の設定を行って初期位置を記憶する。
【００４７】
制御部５０において実行されるキャリブレーションの一例として、スレーブ関節部２６の初期位置の設定手順について説明する。図６は、本実施形態のマニピュレータシステム１を使用した処置の流れを示すフローチャートである。図７は、マニピュレータシステム１を使用した処置の最中にスレーブマニピュレータ２０の初期位置の設定をする場合の作業の流れを示すフローチャートである。図８は、マニピュレータシステム１における初期位置の設定手順の一例を示すフローチャートである。
【００４８】
本実施形態では、例えばマニピュレータシステム１の初回起動時や再起動時、あるいはマニピュレータシステム１の使用時においてスレーブ関節部２６の動作に関して操作者が違和感を覚えたときなどに、初期位置の設定をすることができる。
【００４９】
また、体内において複雑に湾曲した部位にスレーブマニピュレータ２０が挿入されている場合には、駆動部２２からスレーブ関節部２６に至るまでのワイヤの経路長がスレーブマニピュレータ２０の変形により変化している場合がある。この場合には、駆動部２２における駆動状態と、スレーブ関節部２６の姿勢とが初期の対応関係とは異なる関係にずれてしまう。この場合、以下の初期位置の設定によりマスター関節部７とスレーブ関節部２６とを対応関係のずれを解消することもできる。
【００５０】
初期位置の設定は、スレーブアーム２１及びスレーブオーバーチューブ３７が体内に挿入された状態で行われる。
【００５１】
処置対象部位に対する処置をするために、スレーブマニピュレータ２０が体内へと挿入される（図６に示すステップＳ１１）。本実施形態では、スレーブマニピュレータ２０は、例えば肛門等の自然開口を介して体内へと挿入される。
【００５２】
内視鏡１００が処置対象部位Ｘ１を視野に捉えている状態（たとえば図４参照）で、この処置対象部位Ｘ１に対して処置をするためのスレーブアーム２１を第二ルーメン４０に挿通し、スレーブアーム２１のエンドエフェクタ３３及びスレーブ関節部２６を、第二ルーメン４０の先端４０ａの近傍に位置させる。処置対象部位Ｘ１に対する処置を開始する前は、スレーブアーム２１のエンドエフェクタ３３及びスレーブ関節部２６は、スレーブオーバーチューブ３７のチューブ体３８の第二ルーメン４０の内部に位置している。第二ルーメン４０に対してスレーブアーム２１を挿入する過程では、着脱部２４と動力源部２３とは接続されておらず、スレーブ関節部２６は第二ルーメン４０の形状に倣って自在に変形可能である。また、制御部５０は、初期位置の設定がされるまでは操作指令を動力源部２３に出力しないように制御されることにより、動力源部２３に対する着脱部２４の取付け過程ではスレーブ関節部２６は動作せずに第二ルーメン４０の形状に倣っている。
【００５３】
続いて、操作者は、内視鏡１００により処置対象部位Ｘ１の近傍を観察し、チューブ体３８の先端３８ａ近傍を直線状態とすることができる部位まで、必要に応じてチューブ体３８を移動させる。チューブ体３８の先端３８ａ近傍の形状は、例えば内視鏡１００の挿入部に設けられた能動湾曲部を直線状態とすることにより、直線状態にすることができる。本実施形態では、チューブ体３８の先端３８ａ近傍の領域のうち、スレーブ関節部２６が位置する領域が直線状態となることが好ましい。なお、チューブ体３８の先端３８ａ近傍が厳密な直線状であることは要しない。
【００５４】
チューブ体３８の先端３８ａ近傍が略直線状となっているときには、第二ルーメン４０の先端４０ａ近傍も略直線状である。このため、第二ルーメン４０内のスレーブ関節部２６は略直線状である。
【００５５】
次に、マスターマニピュレータ２の操作者が、マスターアーム４をマスターオーバーチューブ１５のチャンネル部材１６内に配置する（図３参照）。マスターオーバーチューブ１５のチャンネル部材１６へのマスターアーム４の移動は、第二ルーメン４０に対するスレーブアーム２１の取付けの前であってもよいし後であってもよい。このとき、チャンネル部材１６の内部にマスター関節部７が位置するように操作される。
チャンネル部材１６は直線状をなす筒状部材であるので、チャンネル部材１６の内部に配されたマスター関節部７も直線状に倣っている。
【００５６】
このように、第二ルーメン４０内にスレーブ関節部２６が位置し、さらにチャンネル部材１６内にマスター関節部７が位置することで、マスター関節部７とスレーブ関節部２６との両方が直線状となっている。
【００５７】
制御部５０は、マスター関節部７とスレーブ関節部２６との両方が直線状とされた上記の状態であるときに、マスター関節部７の各関節要素８の位置とスレーブ関節部２６の各関節要素２７の位置との対応関係を初期位置として定義して保存する。本実施形態では、マスター関節部７とスレーブ関節部２６との両方が直線状とされた上記の状態であるときに、例えばマスターマニピュレータ２から制御部５０に対してその旨を通知するためのスイッチなどにより、初期位置の定義及び保存を操作者が手動で開始する。制御部５０は、上記の通知に基づき、チャンネル部材１６がマスターマニピュレータ２に取り付けられたことを検知して、マスター関節部７の各関節要素８の位置とスレーブ関節部２６の各関節要素２７の位置との対応関係を初期位置として定義して保存する（図６に示すステップＳ１２）。
【００５８】
初期位置が保存されたら、作業台３に対してマスターアーム４を移動させることによって、チャンネル部材１６から入力部１４及びマスター関節部７を突出させる（図２参照）。チャンネル部材１６からの入力部１４及びマスター関節部７の突出操作に倣って、スレーブアーム２１のエンドエフェクタ３３及びスレーブ関節部２６が第二ルーメン４０の先端から突出する（図５参照）。
【００５９】
スレーブアーム２１は、第二ルーメン４０の内部にスレーブ関節部２６が位置して直線状であったときの各関節要素２７の位置を原点として動作可能である。すなわち、マスターアーム４に設けられた入力部１４を操作者が把持してマスター関節部７を動作させると、スレーブ関節部２６はマスター関節部７の動作に倣って動作する。
操作者は、マスターアーム４に設けられた入力部１４を使用して処置対象部位Ｘ１（図５参照）に対して処置を行う（図６に示すステップＳ１３）。
【００６０】
処置の最中に初期位置の再設定をする場合もある。
たとえば図７に示すように、ある所望の処置を開始して（図７に示すステップＳ２１）処置を進めている時に、マスターマニピュレータ２の入力部１４に対するスレーブマニピュレータ２０のエンドエフェクタ３３の姿勢に差が生じた場合（図７に示すステップＳ２２においてＹＥＳ）、初期位置を再設定する（図７に示すステップＳ２３）。
【００６１】
初期位置の再設定は、図８に示すように、マスターアーム４をチャンネル部材１６内に引き込み（ステップＳ３１）、駆動部２２の不図示のワイヤの張力を初期化する（ステップＳ３２）。ワイヤの張力の初期化の方法の一例として、ステップＳ３２で、動力源部２３に対して着脱部２４を離間させたのちに再度着脱部２４を動力源部２３に取り付ける。なお、ワイヤの張力を一定に保つ公知の構成を駆動部２２が有していてもよい。
【００６２】
ワイヤの張力が初期化された後の駆動部２２の状態を初期位置として設定する（ステップＳ３３）ことにより、その後再びマスターアーム４をチャンネル部材１６の先端１６ａから突出させると、マスターマニピュレータ２の入力部１４に対するスレーブマニピュレータ２０のエンドエフェクタ３３の姿勢は適切に倣った姿勢となる。
【００６３】
スレーブアーム２１を使用した処置が終了したら（図７に示すステップＳ２４においてＹＥＳ）、図５に示すスレーブマニピュレータ２０を体外へ抜去する（ステップＳ２５）。ステップＳ２５では、まず、スレーブアーム２１をスレーブオーバーチューブ３７内に引き戻すために、マスターアーム４を作業台３に対して移動させる。マスターアーム４は、作業台３に対する移動により、マスターオーバーチューブ１５のチャンネル部材１６の内部へと引き込まれる（図２参照）。チャンネル部材１６内にマスターアーム４が引き込まれることにより、マスターアーム４のマスター関節部７は直線状に矯正される。マスター関節部７の動作に倣って動作するスレーブ関節部２６は、マスター関節部７が直線状とされることにより倣って直線状となる（図４参照）。このため、スレーブアーム２１はスムーズにスレーブオーバーチューブ３７の第二ルーメン４０へと引き込まれる。その結果、スレーブ関節部２６が湾曲した状態のままスレーブオーバーチューブ３７に引き込まれてスレーブ関節部２６が破損する可能性がない。
また、マスター関節部７の各関節要素（第一関節要素９、第二関節要素１０、及び第三関節要素１１）のうち基端側の一部のみをチャンネル部材１６内に収容して、マスター関節部７の先端側の一部の関節要素及びエンドエフェクタ３３をチャンネル部材１６から突出させた状態でもマスターマニピュレータ２を用いてスレーブマニピュレータ２０を動作させることができる。この場合、スレーブマニピュレータ２０のスレーブ関節部２６の全体のうち、チャンネル部材１６から突出しているマスター関節部７に対応する部分が駆動可能である。
【００６４】
以上に説明したように、本実施形態のマニピュレータシステム１では、体内に挿入されるスレーブオーバーチューブ３７と、マスターマニピュレータ２に設けられたマスターオーバーチューブ１５とによって、処置対象部位の近傍にスレーブマニピュレータ２０が位置している状態でスレーブ関節部２６の初期位置を容易に定義することができる。
その結果、本実施形態のマニピュレータシステム１によれば、簡易な構成で容易にキャリブレーションを行うことができる。
【００６５】
（第２実施形態）
本発明の第２実施形態について説明する。図９は、本実施形態の医療用マスタースレーブマニピュレータシステム１Ａの一部の構成を示す模式的な部分断面図である。
図９に示すように、本実施形態では、マスターオーバーチューブ１５が、第１実施形態に開示された固定部１８を備えることに代えて、作業台３に対して移動可能な移動台１８Ａ（基台）を備えている。
【００６６】
本実施形態では、マスターオーバーチューブ１５が作業台３に対して移動することにより、マスターアーム４に対するチャンネル部材１６の位置調整が可能である。たとえば、スレーブマニピュレータ２０の第二ルーメン４０に対するスレーブアーム２１の位置関係に対応して、マスターマニピュレータ２のチャンネル部材１６に対するマスターアーム４の位置関係を合わせることができる。
また、マスターオーバーチューブ１５に対して作業台３が移動するようになっていてもよい。この場合にもマスターアーム４に対するチャンネル部材１６の位置調整が可能である。
【００６７】
（第３実施形態）
本発明の第３実施形態について説明する。図１０は、本実施形態の医療用マスタースレーブマニピュレータシステム１Ｂのマスターマニピュレータの一部を示す模式的な部分断面図である。図１１は、マニピュレータシステム１Ｂにおけるスレーブマニピュレータの一部を示す模式的な部分断面図である。
【００６８】
図１０及び図１１に示すように、医療用マスタースレーブマニピュレータシステム１Ｂは、上記第１実施形態に開示されたマスター関節部７及びスレーブ関節部２６とは構成が異なるマスター関節部７Ａ及びスレーブ関節部２６Ａを有している。
【００６９】
本実施形態のマスター関節部７Ａは、シャフト６とマスター関節部７Ａとを接続する関節要素８として、シャフト６の先端６ａを回転中心としてマスター関節部７Ａを回転させるマスター側ロール軸関節１２を有している。
【００７０】
マスター側ロール軸関節１２により、入力部１４及びマスター関節部７Ａはシャフト６に対して回転可能である。また、マスター側ロール軸関節１２は、マスター側ロール軸関節１２の回転量を検知する不図示のエンコーダ等からなる回転量検知手段と、マスター側ロール軸関節１２によってマスター関節部７Ａ及び入力部１４が回転した量を操作者が目視で計測することを可能とする回転量計測手段とを有している。
【００７１】
例えば、回転量計測手段として、チャンネル部材１６の先端１６ａ近傍に、チャンネル部材１６の外壁の一部が透明となっていると共にチャンネル部材１６の周方向に所定の角度ごとに目盛りを有している構成や、チャンネル部材１６に対するマスター関節部７Ａまたは入力部１４の回転量を計測するセンサを有して表示装置１９に回転量を表示する構成などが挙げられる。
【００７２】
本実施形態のスレーブ関節部２６Ａは、長尺部材２５とスレーブ関節部２６Ａとを接続する関節要素２７として、長尺部材２５の中心線を回転中心としてスレーブ関節部２６を回転させるスレーブ側ロール軸関節３１を有している。
【００７３】
スレーブ側ロール軸関節３１は、駆動部２２からスレーブ関節部２６Ａまで延びる不図示のワイヤによって、制御部５０からの操作指令に対応して動作する。
【００７４】
本実施形態では、マスター関節部７Ａのマスター側ロール軸関節１２が回転操作されると、スレーブ側ロール軸関節３１は、マスター側ロール軸関節１２の動作に倣って動作する。
本実施形態では、エンドエフェクタ３３及びスレーブ関節部２６Ａの回転位置は、スレーブオーバーチューブ３７に設けられた第一ルーメン３９に取り付けられた内視鏡１００を用いた観察により把握可能である。
【００７５】
本実施形態のマニピュレータシステム１Ｂにおけるキャリブレーションの一例を示す。
本実施形態では、第二ルーメン４０内にスレーブアーム２１が取り付けられた状態において、スレーブアーム２１の中心線（長尺部材２５の中心線）を中心としたエンドエフェクタ３３及びスレーブ関節部２６Ａの回転位置と、マスターアーム４の中心線（マスター関節部７が直線状である時のマスター関節部７全体の中心線）を中心とした入力部１４及びマスター関節部７Ａの回転位置とが一致しない場合がある。
【００７６】
このような場合、制御部５０から駆動部２２への操作指令の出力が停止されている状態で、マスターアーム４の上記の中心線回りにマスター側ロール軸関節１２がマスター関節部７Ａ及び入力部１４を回転させることにより、エンドエフェクタ３３及びスレーブ関節部２６Ａの回転位置に対して、入力部１４及びマスター関節部７Ａの回転位置を合わせることができる。
【００７７】
本実施形態では、内視鏡１００を用いた観察により、第二ルーメン４０の周方向におけるエンドエフェクタ３３及びスレーブ関節部２６Ａの角度を把握し、チャンネル部材１６に設けられた目盛を利用して、エンドエフェクタ３３及びスレーブ関節部２６Ａの角度と一致するように、チャンネル部材１６に対してスレーブ側ロール軸関節３１を回転させる。
これにより、エンドエフェクタ３３及びスレーブ関節部２６Ａに対する入力部１４及びマスター関節部７Ａの回転方向における位置ずれを解消するキャリブレーションを容易に行うことができる。
【００７８】
また、本実施形態では、スレーブアーム２１がロール軸を回転中心とする関節を有していない場合においても、スレーブアーム２１に対するマスターアーム４の回転方向の位置ずれがある場合にマスター側ロール軸関節１２を回転させることで、位置ずれを解消することができる。
【００７９】
（第４実施形態）
本発明の第４実施形態について説明する。図１２は、本実施形態の医療用マスタースレーブマニピュレータシステム１Ｃのマスターマニピュレータの一部を示す模式的な部分断面図である。図１３は、マニピュレータシステム１Ｃにおけるスレーブマニピュレータの一部を示す模式図である。
【００８０】
図１２及び図１３に示すように、医療用マスタースレーブマニピュレータシステム１Ｃは、上記第１実施形態に開示されたマニピュレータシステム１に加えて、位置センサ５１と、着脱切替機構５２とを有している。位置センサ５１は、チャンネル部材１６の中心線方向におけるチャンネル部材１６に対するマスターアーム４の位置が所定の位置にあるか否かを検知する。着脱切替機構５２は、位置センサ５１における検知状態に対応して着脱部２４と動力源部２３との着脱動作を許容したり禁止したりする。
また、医療用マスタースレーブマニピュレータシステム１Ｃの制御部５０は、位置センサ５１における検知状態に対応して着脱切替機構５２を動作させる制御をする。
【００８１】
位置センサ５１は、入力部１４がチャンネル部材１６の先端１６ａから突出しているときに、制御部５０によって参照可能な所定の信号を発する。たとえば、位置センサ５１は、チャンネル部材１６の先端１６ａ近傍の空間を所定の検知エリアとして、この検知エリア内に物体がある場合に上記の信号を発する。
【００８２】
着脱切替機構５２は、動力源部２３において、着脱部２４に対する着脱位置の一部に進入可能な規制部材５３と、規制部材５３を制御部５０からの制御に応じて移動させる移動部５４とを有している。規制部材５３が着脱位置に進入している状態では、動力源部２３に着脱部２４が取付不能である。
【００８３】
制御部５０は、位置センサ５１が上記の所定の信号を発していることを検知したときに、規制部材５３を着脱位置に進入させるように着脱切替機構５２を制御する。また、位置センサ５１が上記所定の信号を停止したことを制御部５０が検知したときには、制御部５０は、規制部材５３を着脱位置外へと移動させる。
【００８４】
本実施形態では、制御部５０は、入力部１４がチャンネル部材１６の内部に位置していると判定した場合に、動力源部２３に対する着脱部２４の取付けを許容する。逆に、制御部５０は、入力部１４がチャンネル部材１６の先端１６ａから外部に突出していると判定した場合に、動力源部２３に対する着脱部２４の取付けを禁止する。
【００８５】
入力部１４がチャンネル部材１６の内部に位置している状態では、マスター関節部７もチャンネル部材１６の内部にあるので、マスター関節部７は、第１実施形態に開示されたキャリブレーションを好適に実行するための直線状態とされている。入力部１４がチャンネル部材１６の先端１６ａから突出している状態では、入力部１４やマスター関節部７等がチャンネル部材１６の先端１６ａからチャンネル部材１６の外部に出ていることにより、マスター関節部７が適切な直線状態でない場合が考えられる。
【００８６】
本実施形態では、マスター関節部７が好適な直線状態とされてチャンネル部材１６内に位置している場合にのみ動力源部２３と着脱部２４との接続が許容されるので、キャリブレーションを行うのに不適切な位置関係のままキャリブレーションが行われてしまうことを予防できる。
【００８７】
以上、本発明の実施形態について図面を参照して詳述したが、具体的な構成はこの実施形態に限られるものではなく、本発明の要旨を逸脱しない範囲の設計変更等も含まれる。
また、上述の各実施形態において示した構成要素は適宜に組み合わせて構成することが可能である。
【産業上の利用可能性】
【００８８】
本発明によれば、簡易な構成で容易にキャリブレーションを行うことができる医療用マスタースレーブマニピュレータシステムを提供することができる。
【符号の説明】
【００８９】
１、１Ａ、１Ｂ、１Ｃ  医療用マスタースレーブマニピュレータシステム
２  マスターマニピュレータ
３  作業台
４  マスターアーム
５  台座
６  シャフト
７、７Ａ  マスター関節部
８  関節要素
９  第一関節要素
１０  第二関節要素
１１  第三関節要素
１２  マスター側ロール軸関節
１３  アーム要素
１４  入力部
１５  マスターオーバーチューブ（矯正治具）
１６  チャンネル部材
１７  スリット
１８  固定部
１８Ａ  移動台（基台）
１９  表示装置
２０  スレーブマニピュレータ
２１  スレーブアーム
２２  駆動部
２３  動力源部
２４  着脱部
２５  長尺部材
２６、２６Ａ  スレーブ関節部
２７  関節要素
２８  第一関節要素
２９  第二関節要素
３０  第三関節要素
３１  スレーブ側ロール軸関節
３２  アーム要素
３３  エンドエフェクタ
３４  把持鉗子
３７  スレーブオーバーチューブ（オーバーチューブ）
３８  チューブ体
３９  第一ルーメン
４０  第二ルーメン
４１  操作部
４２  接続部
４３  延長ルーメン
５０  制御部
５１  位置センサ
５２  着脱切替機構
５３  規制部材
５４  移動部
１００  内視鏡
【図１】
2016136306.tif 000003
【図２】
2016136306.tif 000004
【図３】
2016136306.tif 000005
【図４】
2016136306.tif 000006
【図５】
2016136306.tif 000007
【図６】
2016136306.tif 000008
【図７】
2016136306.tif 000009
【図８】
2016136306.tif 000010
【図９】
2016136306.tif 000011
【図１０】
2016136306.tif 000012
【図１１】
2016136306.tif 000013
【図１２】
2016136306.tif 000014
【図１３】
2016136306.tif 000015
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
エンドエフェクタ及び関節を有するスレーブマニピュレータと、
前記スレーブマニピュレータの前記関節に対応する関節を有し、操作者によって操作入力がなされるマスターマニピュレータと、
前記マスターマニピュレータに対する前記操作入力に基づいて前記スレーブマニピュレータを動作させるための操作指令を出力する制御部と、
前記操作指令に基づいて前記スレーブマニピュレータを動作させる駆動部と、
前記スレーブマニピュレータが挿通される筒状のオーバーチューブと、
前記マスターマニピュレータの前記関節を直線状態に規制する矯正治具と、
を備える医療用マスタースレーブマニピュレータシステム。
【請求項２】
前記矯正治具は、
前記マスターマニピュレータを前記オーバーチューブの内部形状に倣った形状に矯正するために前記オーバーチューブの少なくとも一部と相似な形状を有し、
前記矯正治具が前記マスターマニピュレータに取り付けられた状態で前記マスターマニピュレータの前記関節を前記直線状態に規制する
請求項１に記載の医療用マスタースレーブマニピュレータシステム。
【請求項３】
前記制御部は、
前記矯正治具が前記マスターマニピュレータに取り付けられたことを検知したときに前記スレーブマニピュレータが前記オーバーチューブ内に移動するように前記スレーブマニピュレータと前記オーバーチューブとを相対移動させる操作指令を生成して前記スレーブマニピュレータへ出力し、
前記スレーブマニピュレータが前記オーバーチューブ内に位置し且つ前記マスターマニピュレータに前記矯正治具が取り付けられている状態で、前記マスターマニピュレータの前記関節に対応する前記スレーブマニピュレータの前記関節の位置を前記スレーブマニピュレータにおける前記関節の原点位置として設定する
請求項２に記載の医療用マスタースレーブマニピュレータシステム。
【請求項４】
前記矯正治具は、
前記マスターマニピュレータの前記関節を前記オーバーチューブの内部に配された前記スレーブマニピュレータの前記関節の形状に倣った形状に保持するチャンネル部材と、
前記マスターマニピュレータに対して前記チャンネル部材を移動させる基台と、
を有する
請求項２に記載の医療用マスタースレーブマニピュレータシステム。
【請求項５】
前記矯正治具は、
前記マスターマニピュレータの前記関節を前記オーバーチューブの内部に配された前記スレーブマニピュレータの前記関節の形状に倣った形状に保持するチャンネル部材と、
前記チャンネル部材を保持する基台と、
を有し、
前記マスターマニピュレータは、前記チャンネル部材に少なくとも前記マスターマニピュレータの前記関節が取り付けられるように前記チャンネル部材に対して移動可能である
請求項２に記載の医療用マスタースレーブマニピュレータシステム。
【請求項６】
前記マスターマニピュレータは、
作業台と、
前記エンドエフェクタに対応する入力部と、前記マスターマニピュレータの前記関節と、を有するマスターアームと、
を有し、
前記チャンネル部材は、前記マスターアームが前記作業台に対して位置決めされた状態で前記マスターアームに対して相対移動及び固定可能となるように前記作業台に配されている
請求項５に記載の医療用マスタースレーブマニピュレータシステム。
【請求項７】
前記矯正治具は、
前記マスターマニピュレータを内部に挿通可能であり前記オーバーチューブと相似形状をなすチャンネル部材と、
前記チャンネル部材において前記マスターマニピュレータが前記チャンネル部材の周方向に回転する回転量を計測するための回転量計測手段と、
を有する
請求項２に記載の医療用マスタースレーブマニピュレータシステム。
【請求項８】
前記制御部は、
前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止する
請求項２に記載の医療用マスタースレーブマニピュレータシステム。
【請求項９】
エンドエフェクタ及び関節を有するスレーブマニピュレータを動作させるための操作が入力される医療用マスターマニピュレータであって、
棒状に形成された第一アームと、
棒状に形成され、前記第一アームに対して屈曲可能に連結された第二アームと、
前記第二アームの前記第一アームに対する屈曲角度を検出する検出部と、
前記検出部によって検出された前記屈曲角度に基づいて前記スレーブマニピュレータの動作を制御するための電気信号を出力する制御部と、
前記制御部によって出力された前記電気信号に基づいて前記スレーブマニピュレータを駆動させるための駆動力を出力する駆動部と、
前記第二アームの前記第一アームに対する屈曲を規制する矯正冶具と、
を備える医療用マスターマニピュレータ。
【請求項１０】
前記矯正治具は、
前記第一アーム及び前記第二アームが挿通可能な筒を有し、
前記第一アーム及び前記第二アームが前記筒内に挿通されることによって前記第二アームの前記第一アームに対する屈曲を規制する
請求項９に記載の医療用マスターマニピュレータ。
【請求項１１】
請求項１０に記載の医療用マスターマニピュレータと、
前記エンドエフェクタ及び前記関節を有する前記スレーブマニピュレータと、
前記スレーブマニピュレータが挿通される筒状のオーバーチューブと、
を備える医療用マスタースレーブマニピュレータシステム。
【手続補正３】
【補正対象書類名】明細書
【補正対象項目名】０００１
【補正方法】変更
【補正の内容】
【０００１】
本発明は、医療用マスタースレーブマニピュレータシステム及び医療用マスターマニピュレータに関する。
本願は、２０１５年２月２６日に日本国に出願された特願２０１５−０３７２８７号に基づき優先権を主張し、その内容をここに援用する。
【手続補正４】
【補正対象書類名】明細書
【補正対象項目名】０００７
【補正方法】変更
【補正の内容】
【０００７】
本発明の第一の態様によれば、医療用マスタースレーブマニピュレータシステムは、エンドエフェクタ及び関節を有するスレーブマニピュレータと、前記スレーブマニピュレータの前記関節に対応する関節を有し、操作者によって操作入力がなされるマスターマニピュレータと、前記マスターマニピュレータに対する前記操作入力に基づいて前記スレーブマニピュレータを動作させるための操作指令を出力する制御部と、前記操作指令に基づいて前記スレーブマニピュレータを動作させる駆動部と、前記スレーブマニピュレータが挿通される筒状のオーバーチューブと、前記マスターマニピュレータの前記関節を直線状態に規制する矯正治具と、を備える。
上記の医療用マスタースレーブマニピュレータシステムにおいて、前記矯正治具は、前記マスターマニピュレータを前記オーバーチューブの内部形状に倣った形状に矯正するために前記オーバーチューブの少なくとも一部と相似な形状を有し、前記矯正治具が前記マスターマニピュレータに取り付けられた状態で前記マスターマニピュレータの前記関節を前記直線状態に規制してもよい。
【手続補正５】
【補正対象書類名】明細書
【補正対象項目名】０００８
【補正方法】変更
【補正の内容】
【０００８】
上記の医療用マスタースレーブマニピュレータシステムにおいて、前記制御部は、前記矯正治具が前記マスターマニピュレータに取り付けられたことを検知したときに前記スレーブマニピュレータが前記オーバーチューブ内に移動するように前記スレーブマニピュレータと前記オーバーチューブとを相対移動させる操作指令を生成して前記スレーブマニピュレータへ出力し、前記スレーブマニピュレータが前記オーバーチューブ内に位置し且つ前記マスターマニピュレータに前記矯正治具が取り付けられている状態で、前記マスターマニピュレータの前記関節に対応する前記スレーブマニピュレータの前記関節の位置を前記スレーブマニピュレータにおける前記関節の原点位置として設定してもよい。
【手続補正６】
【補正対象書類名】明細書
【補正対象項目名】０００９
【補正方法】変更
【補正の内容】
【０００９】
上記の医療用マスタースレーブマニピュレータシステムにおいて、前記矯正治具は、前記マスターマニピュレータの前記関節を前記オーバーチューブの内部に配された前記スレーブマニピュレータの前記関節の形状に倣った形状に保持するチャンネル部材と、前記マスターマニピュレータに対して前記チャンネル部材を移動させる基台と、を有していてもよい。
【手続補正７】
【補正対象書類名】明細書
【補正対象項目名】００１０
【補正方法】変更
【補正の内容】
【００１０】
上記の医療用マスタースレーブマニピュレータシステムにおいて、前記矯正治具は、前記マスターマニピュレータの前記関節を前記オーバーチューブの内部に配された前記スレーブマニピュレータの前記関節の形状に倣った形状に保持するチャンネル部材と、前記チャンネル部材を保持する基台と、を有していてもよい。前記マスターマニピュレータは、前記チャンネル部材に少なくとも前記マスターマニピュレータの前記関節が取り付けられるように前記チャンネル部材に対して移動可能であってもよい。
【手続補正８】
【補正対象書類名】明細書
【補正対象項目名】００１１
【補正方法】変更
【補正の内容】
【００１１】
上記の医療用マスタースレーブマニピュレータシステムにおいて、前記マスターマニピュレータは、作業台と、前記エンドエフェクタに対応する入力部と、前記マスターマニピュレータの前記関節と、を有するマスターアームと、を有していてもよい。前記チャンネル部材は、前記マスターアームが前記作業台に対して位置決めされた状態で前記マスターアームに対して相対移動及び固定可能となるように前記作業台に配されていてもよい。
【手続補正９】
【補正対象書類名】明細書
【補正対象項目名】００１２
【補正方法】変更
【補正の内容】
【００１２】
上記の医療用マスタースレーブマニピュレータシステムにおいて、前記矯正治具は、前記マスターマニピュレータを内部に挿通可能であり前記オーバーチューブと相似形状をなすチャンネル部材と、前記チャンネル部材において前記マスターマニピュレータが前記チャンネル部材の周方向に回転する回転量を計測するための回転量計測手段と、を有していてもよい。
【手続補正１０】
【補正対象書類名】明細書
【補正対象項目名】００１３
【補正方法】変更
【補正の内容】
【００１３】
上記の医療用マスタースレーブマニピュレータシステムにおいて、前記制御部は、前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止してもよい。
本発明の第二の態様によれば、医療用マスターマニピュレータは、エンドエフェクタ及び関節を有するスレーブマニピュレータを動作させるための操作が入力される医療用マスターマニピュレータであって、棒状に形成された第一アームと、棒状に形成され、前記第一アームに対して屈曲可能に連結された第二アームと、前記第二アームの前記第一アームに対する屈曲角度を検出する検出部と、前記検出部によって検出された前記屈曲角度に基づいて前記スレーブマニピュレータの動作を制御するための電気信号を出力する制御部と、前記制御部によって出力された前記電気信号に基づいて前記スレーブマニピュレータを駆動させるための駆動力を出力する駆動部と、前記第二アームの前記第一アームに対する屈曲を規制する矯正冶具と、を備える。
上記の医療用マスターマニピュレータにおいて、前記矯正治具は、前記第一アーム及び前記第二アームが挿通可能な筒を有し、前記第一アーム及び前記第二アームが前記筒内に挿通されることによって前記第二アームの前記第一アームに対する屈曲を規制してもよい。
本発明の第三の態様によれば、医療用マスタースレーブマニピュレータシステムは、上記の医療用マスターマニピュレータと、前記エンドエフェクタ及び前記関節を有する前記スレーブマニピュレータと、前記スレーブマニピュレータが挿通される筒状のオーバーチューブと、を備える。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
エンドエフェクタ及び関節を有するスレーブマニピュレータと、
前記スレーブマニピュレータの前記関節に対応する関節を有し、操作者によって操作入力がなされるマスターマニピュレータと、
前記マスターマニピュレータに対する前記操作入力に基づいて前記スレーブマニピュレータを動作させるための操作指令を出力する制御部と、
前記操作指令に基づいて前記スレーブマニピュレータを動作させる駆動部と、
前記スレーブマニピュレータが挿通される筒状のオーバーチューブと、
前記マスターマニピュレータの前記関節を直線状に矯正する矯正治具と、
を備える医療用マスタースレーブマニピュレータシステム。
【請求項２】
前記矯正治具は、
前記マスターマニピュレータを前記オーバーチューブの内部形状に倣った形状に矯正するために前記オーバーチューブの少なくとも一部と相似な形状を有し、
前記矯正治具が前記マスターマニピュレータに取り付けられた状態で前記マスターマニピュレータの前記関節を前記直線状態に規制する
請求項１に記載の医療用マスタースレーブマニピュレータシステム。
【請求項３】
前記制御部は、
前記矯正治具が前記マスターマニピュレータに取り付けられたことを検知したときに前記スレーブマニピュレータが前記オーバーチューブ内に移動するように前記スレーブマニピュレータと前記オーバーチューブとを相対移動させる操作指令を生成して前記スレーブマニピュレータへ出力し、
前記スレーブマニピュレータが前記オーバーチューブ内に位置し且つ前記マスターマニピュレータに前記矯正治具が取り付けられている状態で、前記マスターマニピュレータの前記関節に対応する前記スレーブマニピュレータの前記関節の位置を前記スレーブマニピュレータにおける前記関節の原点位置として設定する
請求項２に記載の医療用マスタースレーブマニピュレータシステム。
【請求項４】
前記矯正治具は、
前記マスターマニピュレータの前記関節を前記オーバーチューブの内部に配された前記スレーブマニピュレータの前記関節の形状に倣った形状に保持するチャンネル部材と、
前記マスターマニピュレータに対して前記チャンネル部材を移動させる基台と、
を有する
請求項２に記載の医療用マスタースレーブマニピュレータシステム。
【請求項５】
前記矯正治具は、
前記マスターマニピュレータの前記関節を前記オーバーチューブの内部に配された前記スレーブマニピュレータの前記関節の形状に倣った形状に保持するチャンネル部材と、
前記チャンネル部材を保持する基台と、
を有し、
前記マスターマニピュレータは、前記チャンネル部材に少なくとも前記マスターマニピュレータの前記関節が取り付けられるように前記チャンネル部材に対して移動可能である
請求項２に記載の医療用マスタースレーブマニピュレータシステム。
【請求項６】
前記マスターマニピュレータは、
作業台と、
前記エンドエフェクタに対応する入力部と、前記マスターマニピュレータの前記関節と、を有するマスターアームと、
を有し、
前記チャンネル部材は、前記マスターアームが前記作業台に対して位置決めされた状態で前記マスターアームに対して相対移動及び固定可能となるように前記作業台に配されている
請求項５に記載の医療用マスタースレーブマニピュレータシステム。
【請求項７】
前記矯正治具は、
前記マスターマニピュレータを内部に挿通可能であり前記オーバーチューブと相似形状をなすチャンネル部材と、
前記チャンネル部材において前記マスターマニピュレータが前記チャンネル部材の周方向に回転する回転量を計測するための回転量計測手段と、
を有する
請求項２に記載の医療用マスタースレーブマニピュレータシステム。
【請求項８】
前記制御部は、
前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止する
請求項２に記載の医療用マスタースレーブマニピュレータシステム。
【請求項９】
エンドエフェクタ及びスレーブ関節を有するスレーブマニピュレータを動作させるための操作が入力される医療用マスターマニピュレータであって、
棒状に形成された第一アームと、
棒状に形成された第二アームと、
前記第二アームを前記第一アームに対して屈曲可能に連結するマスター関節と、
前記第二アームの前記第一アームに対する屈曲を規制する矯正冶具と、
を備える医療用マスターマニピュレータ。
【請求項１０】
前記矯正治具は、
前記第一アーム及び前記第二アームが挿通可能な筒を有し、
前記第一アーム及び前記第二アームが前記筒内に挿通されることによって前記第二アームの前記第一アームに対する屈曲を規制する
請求項９に記載の医療用マスターマニピュレータ。
【請求項１１】
請求項１０に記載の医療用マスターマニピュレータと、
前記エンドエフェクタ及び前記スレーブ関節を有する前記スレーブマニピュレータと、
前記スレーブマニピュレータが挿通される筒状のオーバーチューブと、
前記マスター関節の動作量を取得し、前記スレーブ関節の動作を制御するための電気信号を出力する制御部と、
前記制御部によって出力された前記電気信号に基づいて前記スレーブ関節を動作させるための駆動力を出力する駆動部と、
を備える医療用マスタースレーブマニピュレータシステム。
【手続補正２】
【補正対象書類名】明細書
【補正対象項目名】０００７
【補正方法】変更
【補正の内容】
【０００７】
本発明の第一の態様によれば、医療用マスタースレーブマニピュレータシステムは、エンドエフェクタ及び関節を有するスレーブマニピュレータと、前記スレーブマニピュレータの前記関節に対応する関節を有し、操作者によって操作入力がなされるマスターマニピュレータと、前記マスターマニピュレータに対する前記操作入力に基づいて前記スレーブマニピュレータを動作させるための操作指令を出力する制御部と、前記操作指令に基づいて前記スレーブマニピュレータを動作させる駆動部と、前記スレーブマニピュレータが挿通される筒状のオーバーチューブと、前記マスターマニピュレータの前記関節を直線状に矯正する矯正治具と、を備える。
上記の医療用マスタースレーブマニピュレータシステムにおいて、前記矯正治具は、前記マスターマニピュレータを前記オーバーチューブの内部形状に倣った形状に矯正するために前記オーバーチューブの少なくとも一部と相似な形状を有し、前記矯正治具が前記マスターマニピュレータに取り付けられた状態で前記マスターマニピュレータの前記関節を前記直線状態に規制してもよい。
【手続補正３】
【補正対象書類名】明細書
【補正対象項目名】００１３
【補正方法】変更
【補正の内容】
【００１３】
上記の医療用マスタースレーブマニピュレータシステムにおいて、前記制御部は、前記マスターマニピュレータに前記矯正治具が取り付けられた位置関係にあるか否かを前記制御部の起動時に判定して、前記マスターマニピュレータに前記矯正治具が取り付けられた位置関係にない場合には前記マスターマニピュレータに前記矯正治具が取り付けられた位置関係となるまで前記スレーブマニピュレータの制御を停止してもよい。
本発明の第二の態様によれば、医療用マスターマニピュレータは、エンドエフェクタ及びスレーブ関節を有するスレーブマニピュレータを動作させるための操作が入力される医療用マスターマニピュレータであって、棒状に形成された第一アームと、棒状に形成された第二アームと、前記第二アームを前記第一アームに対して屈曲可能に連結するマスター関節と、前記第二アームの前記第一アームに対する屈曲を規制する矯正冶具と、を備える。
上記の医療用マスターマニピュレータにおいて、前記矯正治具は、前記第一アーム及び前記第二アームが挿通可能な筒を有し、前記第一アーム及び前記第二アームが前記筒内に挿通されることによって前記第二アームの前記第一アームに対する屈曲を規制してもよい。
本発明の第三の態様によれば、医療用マスタースレーブマニピュレータシステムは、上記の医療用マスターマニピュレータと、前記エンドエフェクタ及び前記スレーブ関節を有する前記スレーブマニピュレータと、前記スレーブマニピュレータが挿通される筒状のオーバーチューブと、前記マスター関節の動作量を取得し、前記スレーブ関節の動作を制御するための電気信号を出力する制御部と、前記制御部によって出力された前記電気信号に基づいて前記スレーブ関節を動作させるための駆動力を出力する駆動部と、を備える。
【国際調査報告】
2016136306.tif 000016
2016136306.tif 000017